(57)【要約】【課題】表面に標記された文字等を長年に亘って保存し且つその判読性を維持し得る骨壷を安価に提供する。【解決手段】壷本体と蓋体からなる陶器製の骨壷において、壷本体の表面と前記蓋体の表面の少なくとも何れか一方、又は双方に、粗面加工により形成された標記部を設ける。係る構成とすることで、標記部が高い濡れ性と拡散浸透性をもつこととなり、該標記部に筆記素材を用いて故人名、戒名等の故人を特定し得る文字等を書いた場合、例え筆記素材に経年変化による性状劣化が生じたとしても、該文字等の標記は、標記部の表面から剥離することなく長年に亘って良好な状態で保存され、且つ高い判読性を維持することとなり、後年における骨壷の主の特定という所期の目的が確実に達成される。【選択図】図１
0003106887.tif 000002
【実用新案登録請求の範囲】
【請求項１】
壷本体と蓋体からなる陶器製の骨壷であって、前記壷本体の表面と前記蓋体の表面の少なくとも何れか一方、又は双方に、粗面加工された標記部が設けられていることを特徴とする骨壷。
【考案の詳細な説明】
【技術分野】
【０００１】
本考案は、陶器製の骨壷に関するものである。
【背景技術】
【０００２】
従来、新たに骨壷を墓に納める場合、その骨壷に納められた人物を特定し、後年予想される骨壷の主の識別不能による混乱を未然に回避する等の観点から、骨壷の表面に油性インク、墨汁等の筆記素材を用いて故人名とか戒名等の骨壷の主を特定し得る標記をする場合がある。
また、同様の観点から、骨壷の表面に、ブラスト加工によって故人名等の故人を特定し得る事項を彫り込むことも行われている（例えば、特許文献１参照）。
【特許文献１】実用新案登録第３０１０５６６号公報
【考案の開示】
【考案が解決しようとする課題】
【０００３】
ところが、油性インク、墨汁等の筆記素材を用いて骨壷の表面に直接故人名等を標記する方法は、安価であり、且つ急逝で時間的余裕の無いような場合でも迅速に対応し得る、等の利点がある反面、文字等が書きにくく、且つ経年的に剥離を生じその判読性の維持が難しいという欠点がある。
【０００４】
即ち、一般に、骨壷は陶器製とされ、その表面は艶のある平滑面となっている。このため、該表面は、油性インク、墨汁等の筆記素材に対する濡れ性が極めて低く、しかも筆記素材に対する拡散浸透性も極めて低いという性状を有している。そして、この低い濡れ性に起因して、前記表面に文字等が書きにくくなり、また、低い拡散浸透性に起因して、骨壷表面に書かれた文字等が該表面から剥離し易くなるものである。
【０００５】
これらの結果として、筆記素材の経年変化による性状劣化とも相俟って、筆記素材による文字等の標記部分を長年に亘って良好状態で保存し且つその判読性を維持するということが困難となり、延いては、後年における骨壷の主の特定という所期の目的が達成できなくなる虞れがある。
【０００６】
一方、骨壷の表面に、ブラスト加工によって故人名等の故人を特定し得る事項を彫りこむ方法は、長年に亘って故人特定機能を維持することができるという利点がある反面、ブラスト加工による彫刻であることから、製作費が高価になるとともに、時間的余裕の無い場合の迅速な対応が困難である、等の問題がある。
【０００７】
そこで本考案は、骨壷表面に標記された文字等を長年に亘って良好状態で保存し且つその判読性を維持し得る骨壷を安価に提供することを目的としてなされたものである。
【課題を解決するための手段】
【０００８】
本考案では、壷本体１と蓋体２からなる陶器製の骨壷において、前記壷本体１の表面１ａと前記蓋体２の表面２ａの少なくとも何れか一方、又は双方に、粗面加工された標記部３を設けたことを特徴としている。
【考案の効果】
【０００９】
本考案に係る骨壷によれば、壷本体１と蓋体２からなる陶器製の骨壷において、前記壷本体１の表面１ａと前記蓋体２の表面２ａの少なくとも何れか一方、又は双方に、粗面加工された標記部３を設けているので、この標記部３の表面は油性インク、墨汁等の筆記素材に対する濡れ性が良好であると共に、高い拡散浸透性を有したものとなっている。
【００１０】
従って、この標記部に筆記素材を用いて故人名、戒名等の故人を特定し得る文字等を書いた場合、該表面の高い濡れ性によって文字等を容易且つ的確に書くことができ、しかもこの書かれた文字等は該表面の高い拡散浸透性によって該表面上に強固に付着される。
【００１１】
これらの結果、例え筆記素材に経年変化による性状劣化が生じたとしても、該筆記素材による文字等の標記は、前記標記部３の表面から剥離することなく長年に亘って良好な状態で保存され、且つ高い判読性を維持することとなり、後年における骨壷の主の特定という所期の目的を確実に達成することができるものである。
【００１２】
また、標記部３に筆記素材を用いて故人名等の故人を特定し得る文字等を書いて標記するものであることから、例えば、骨壷の表面にブラスト加工によって故人名等を彫刻するような場合に比して、当該標記を手軽に且つ安価に行うことができるとともに、時間的余裕の無い場合でも迅速に対応でき、その利便性が高いものである。
【考案を実施するための最良の形態】
【００１３】
以下、本考案を好適な実施形態に基づいて具体的に説明する。図１には、本考案に係る陶器製の骨壷を示している。この骨壷は、上端が開口した壷本体１と該壷本体１の上端開口を閉塞する蓋体２を備えてなり、上記壷本体１内に納骨した上で、墓の納骨室内に収納される。この骨壷は、一旦納骨室内に収納されると、これを頻繁に取り出したり、点検したりすることは極めて少なく、長年に亘って納骨室内に収納し続けられる。このため、例えば、同じ墓に多くの骨壷が納められているような場合には、後年、何らかの理由で骨壷を取り出したような場合には、どの骨壷が誰のものであるのかを判断できることが望まれ、このような場合には骨壷の表面にその主を特定できるような故人名等を油性インク等の筆記素材で標記することが行なわれていた。
【００１４】
この場合、骨壷は陶器製であって、その表面は極めて平滑であり、濡れ性及び拡散浸透性が極めて低く、該表面に文字等を標記した場合、長年の間に、筆記素材の経年変化による性状劣化とも相まって、標記された筆記素材が骨壷の表面から剥離し易く長年の保存が困難で、且つその判読ができないこともあり、故人の特定という所期の目的が果たせない虞があることは既述の通りである。
【００１５】
このような事情に鑑み、この実施形態の骨壷においては、図１及び図２に示すように、前記骨壷の前記壷本体１の表面１ａの特定部位（この実施形態では、周壁の一部領域）に、ブラスト加工（砥粒を噴射ノズルから高速で噴射してワーク表面を削り落とす加工）を施して、所定深さに陥没させて、これを標記部３としている。
【００１６】
従って、この標記部３においては、当初の陶器面、即ち、艶のある極めて平滑な面は削り落とされ、艶がなく且つ極めて細かい凹凸をもつ粗面となる。従って、この標記部３の表面は、高い濡れ性と拡散浸透性を併せもつことになる。
【００１７】
この結果、前記標記部３の表面に油性インク等の筆記素材を用いて故人名等の標記を行う場合には、該表面のもつ高い濡れ性によって、文字等を容易且つ明確に書くことができる。さらに、このようにして書かれた文字等は、前記標記部３の表面のもつ高い拡散浸透性によって、該表面に対して強固に付着される。従って、例え筆記素材に経年変化による性状劣化が生じたとしても、該筆記素材による文字等の標記は、前記標記部３の表面から剥離することなく長年に亘って良好な状態で保存され、且つ高い判読性を維持することとなり、後年における骨壷の主の特定という所期の目的を確実に達成することができるものである。
【００１８】
また、標記部３に油性インク等の筆記素材を用いて故人名等の故人を特定し得る文字等を書いて標記するものであることから、例えば、壷本体１の表面にブラスト加工によって故人名等を彫刻するような場合に比して、手軽に且つ安価に標記できるとともに、時間的余裕の無い場合でも迅速に対応でき、その利便性が高いものである。
【００１９】
尚、この実施形態では、前記標記部３をブラスト加工により形成し、その面を粗面としているが、本考案は係る構成に限定されるものではなく、要するに、前記標記部３は、高い濡れ性と拡散浸透性を併せもつ粗面であれば良く、例えば比較的粗い砥石を用いた研削加工等、他の加工手段を用いて形成されるものであっても良い。
【００２０】
さらに、前記実施形態では、前記標記部３を前記壷本体１の表面のみに形成したが、本考案は係る構成に限定されるものではなく、例えば、前記蓋体２の表面２ａのみに形成するとか、前記壷本体１の表面１ａと前記蓋体２の表面２ａの双方に形成することもできるものである。
【図面の簡単な説明】
【００２１】
【図１】本考案の実施形態に係る骨壷の斜視図である。
【図２】図１の標記部の横方向断面図である。
【符号の説明】
【００２２】
１    壷本体
１ａ  壷本体の表面
２    蓋体
２ａ  蓋体の表面
３    標記部
【図１】
0003106887.tif 000003
【図２】
0003106887.tif 000004